(57)【要約】【課題】昇降路内の空間を有効に利用することができ、かつ構成部品の変形を防止することができるエレベータのエプロン装置を得る。【解決手段】かご出入口の床部には、エプロン装置１１が設けられている。エプロン装置１１は、かご出入口の床部から下方へ延びた上部パネル１２と、上部パネル１２に連結され、上部パネル１２に対してスライド可能な下部パネル１３とを有している。上部パネル１２は、パネル本体部１４と、パネル本体部１４の幅方向端部に設けられ、かご３の奥行き方向へ延びるパネル端面部１５とを有している。パネル端面部１５には、上下方向へ延びた長穴１６が設けられている。下部パネル１３には、長穴１６に挿入されたガイドボルト１９が取り付けられている。下部パネル１３は、ガイドボルト１９の長穴１６内での摺動により上部パネル１２に対してスライド可能になっている。【選択図】図３
2005145610.tif 000002
【特許請求の範囲】
【請求項１】
かご出入口の床部から下方へ延びるパネル本体部と、上記パネル本体部の幅方向端部に設けられ、かごの奥行き方向へ延びるパネル端面部とを有する第１のエプロンパネル、及び
上記第１のエプロンパネルに設けられ、上記第１のエプロンパネルに対して上下動可能な第２のエプロンパネル
を備えていることを特徴とするエレベータのエプロン装置。
【請求項２】
上記パネル端面部及び第２のエプロンパネルのいずれか一方には上下方向へ延びる案内手段が設けられ、上記パネル端面部及び上記第２のエプロンパネルのいずれか他方には上記案内手段に摺動されて案内される摺動部が設けられていることを特徴とする請求項１に記載のエレベータのエプロン装置。
【請求項３】
上記案内手段は、上記摺動部が挿入された長穴であることを特徴とする請求項１又は請求項２に記載のエレベータのエプロン装置。
【請求項４】
上記案内手段には、上記摺動部の摺動を円滑にする低摩擦部材が設けられていることを特徴とする請求項２又は請求項３に記載のエレベータのエプロン装置。
【請求項５】
上記摺動部は、上下方向に間隔を置いて複数配置されていることを特徴とする請求項２乃至請求項４の何れかに記載のエレベータのエプロン装置。
【請求項６】
かご出入口の床部から下方へ延びる第１のエプロンパネルと、上記第１のエプロンパネルに設けられ、上記第１のエプロンパネルに対して上下動可能な第２のエプロンパネルとを有するエプロン本体、
上記第１のエプロンパネルの反乗場側に設けられ、かつかごの下部に固定された第１の補強部材と、上記第１の補強部材に設けられ、上記第１の補強部材に対して上下動可能な第２の補強部材とを有する補強体、及び
上記第２のエプロンパネルと上記第２の補強部材とを連結し、上記第２のエプロンパネル及び上記第２の補強部材とともに上下動可能な連結部材
を備えていることを特徴とするエレベータのエプロン装置。
【請求項７】
上記第２のエプロンパネル及び上記第２の補強部材のそれぞれの下端部には、緩衝部材が設けられていることを特徴とする請求項６に記載のエレベータのエプロン装置。
【請求項８】
かご出入口の床部から下方へ延びる第１のエプロンパネルと、上記第１のエプロンパネルに設けられ、上記第１のエプロンパネルに対して上下動可能な第２のエプロンパネルとを有するエプロン本体、
上記第１のエプロンパネルの反乗場側に設けられ、かつかごの下部に固定された補強体、及び
上記第２のエプロンパネルに接続された第１接続部と、上記補強体に接続され、かつ上記補強体に対して上下動可能な第２接続部とを有し、上記第２エプロンパネルとともに上下動可能な連結部材
を備えていることを特徴とするエレベータのエプロン装置。
【請求項９】
上記第２のエプロンパネルの下端部には、緩衝部材が設けられていることを特徴とする請求項１乃至請求項８の何れかに記載のエレベータのエプロン装置。
【請求項１０】
上記第２のエプロンパネルは、上記第１のエプロンパネルの下端部側に位置する伸長位置と、上記伸長位置よりも上方に位置する縮小位置との間を往復動可能になっており、
上記第２のエプロンパネルが上記伸長位置にあることを検出する検出センサをさらに備えていることを特徴とする請求項１乃至請求項９の何れかに記載のエレベータのエプロン装置。
【発明の詳細な説明】
【技術分野】
【０００１】
この発明は、かご出入口の床部に設けられるエレベータのエプロン装置に関するものである。
【背景技術】
【０００２】
従来のエレベータでは、かごの着床誤差により生じるかご床と乗場床との間の空間を塞ぐために、かご出入口の床部にエプロン装置が設けられている。また、従来のエプロン装置は、昇降路内の空間を有効に利用するために、伸縮可能になっていることがある。
【０００３】
具体的には、かごの床部の下面に固定された板状の固定エプロンに板状の可動エプロンが上下方向へスライド可能に設けられている。可動エプロンは、自重により固定エプロンの下端部へ変位可能になっている。かごが最下階に着床される際には、可動エプロンは、ピット部への当接により、固定エプロンに対してスライドされながら押し上げられる。これにより、かごの最下階への着床位置をピット部に近づけることができ、昇降路内の空間を有効に利用することができる（例えば、特許文献１参照）。
【０００４】
【特許文献１】実開昭５４−９２５６３号公報
【発明の開示】
【発明が解決しようとする課題】
【０００５】
しかし、上記のような従来のエプロン装置では、固定エプロンが板状部材であるので、乗場側からの力に対して変形しやすく、この固定エプロンの変形により、かごの着床誤差により生じるかご床と乗場床との間の空間を十分に塞ぐことができなくなってしまうことがある。
【０００６】
この発明は、上記のような問題点を解決することを課題としてなされたものであり、昇降路内の空間を有効に利用することができ、かつ構成部品の変形を防止することができるエレベータのエプロン装置を得ることを目的とする。
【課題を解決するための手段】
【０００７】
この発明に係るエレベータのエプロン装置は、かご出入口の床部から下方へ延びるパネル本体部と、パネル本体部の幅方向端部に設けられ、かごの奥行き方向へ延びるパネル端面部とを有する第１のエプロンパネル、及び第１のエプロンパネルに設けられ、第１のエプロンパネルに対して上下動可能な第２のエプロンパネルを備えている。
【発明の効果】
【０００８】
この発明に係るエレベータのエプロン装置では、第１のエプロンパネルがパネル本体部からかごの奥行き方向へ伸びるパネル端面部を有しているので、乗場側からの力に対して第１のエプロンパネルの変形を小さくすることができ、エプロン装置全体の変形を小さくすることができる。このことから、かごの着床位置に大きな誤差が生じた場合であっても、第１及び第２のエプロンパネルの変形によりかご床と乗場床との間に著しく大きな空間が生じることを防止することができる。
【発明を実施するための最良の形態】
【０００９】
実施の形態１．
図１はこの発明の実施の形態１によるエレベータを示す平断面図、図２は図１のII-II線に沿った断面図である。図において、昇降路１の上端部には、駆動シーブを有する駆動装置（いずれも図示せず）が設けられている。駆動シーブには、主索２が巻き掛けられている。昇降路１内には、かご３及び釣合おもり（図示せず）が主索２により吊り下げられている。かご３及び釣合おもりは、駆動装置の駆動により昇降路１内を昇降される。
【００１０】
かご３には、かご出入口４が設けられている。また、かご３には、かご出入口４を開閉する一対のかごの戸５が搭載されている。昇降路１の壁には、昇降路１内と乗場６とを連通する乗場出入口７が設けられている。乗場出入口７は、一対の乗場の戸８により開閉される。かご出入口４の床部１０、即ちかご３の下部の乗場６側端部には、かご３の着床誤差により生じるかご床と乗場床との間の空間を塞ぐためのエプロン装置１１が設けられている。かご３が最下階に着床したときには、エプロン装置１１は昇降路１のピット部（底部）１ａに当接されるようになっている。
【００１１】
図３は図２のエプロン装置１１を示す正面図、図４は図３のエプロン装置１１を示す側面図である。図において、エプロン装置１１は、床部１０の下面にボルトにより固定された第１のエプロンパネルである上部パネル１２と、上部パネル１２に連結され、上部パネル１２に対してスライド可能な第２のエプロンパネルである下部パネル１３とを有している。
【００１２】
上部パネル１２は、水平断面がコ字状となるように金属板を折り曲げて作製される。これにより、上部パネル１２は、かご出入口４の床部１０から下方へ延びる板状のパネル本体部１４と、パネル本体部１４の幅方向端部にそれぞれ設けられ、かご３の奥行き方向へ延びる一対のパネル端面部１５とを有している。パネル本体部１４は、かご出入口４の幅方向に平行に配置されている。各パネル端面部１５は、パネル本体部１４の高さ方向全体に渡って設けられている。また、各パネル端面部１５には、上下方向へ延びる案内手段である長穴１６が設けられている。
【００１３】
下部パネル１３は、パネル本体部１４に一部が重ねられた板状の正面部１７と、正面部１７の幅方向端部に設けられ、かご３の奥行き方向へ延びる一対の端部延出部１８とを有している。正面部１７の幅は、パネル本体部１４の幅よりも大きくなっている。また、一対のパネル端面部１５は、各端部延出部１８の間に配置されている。各端部延出部１８には、長穴１６に挿入された摺動部である複数（２つ）のガイドボルト１９が取り付けられている。各ガイドボルト１９は、上下方向に間隔を置いて配置されている。また、各ガイドボルト１９は、長穴１６内を摺動可能になっている。各ガイドボルト１９の長穴１６内での摺動により、下部パネル１３は長穴１６に沿って案内される。
【００１４】
長穴１６の内面には、ガイドボルト１９の摺動を円滑にする低摩擦部材２０が設けられている。低摩擦部材２０は、長穴１６の長さ方向に沿って延びている。また、低摩擦部材２０は、ポリテトラフルオロエチレン（テフロン(登録商標)）により作製されている。下部パネル１３の下端部には、ゴム等の弾性体である緩衝部材２１が設けられている。かご３が最下階に着床される際には、緩衝部材２１はピット部１ａに当接される。エプロン装置１１のピット部１ａへの衝突による衝撃は、緩衝部材２１により緩和される。
【００１５】
下部パネル１３は、上部パネル１２の下端部側に位置する伸長位置（図３及び図４）と、縮小位置よりも上方に位置する縮小位置との間を往復動可能になっている。即ち、エプロン装置１１は、下部パネル１３が伸長位置にあるときに伸長された状態となり、下部パネル１３が縮小位置にあるときに縮小された状態となるようになっている。
【００１６】
下部パネル１３は、自重により伸長位置へ自然に変位可能になっている。下部パネル１３が伸長位置にあるときには、ガイドボルト１９は長穴１６の下端部に当接している。また、下部パネル１３は、かご３が最下階に着床される際に、ピット部１ａにより上部パネル１２に対して押し上げられ、縮小位置へ変位可能になっている（図２）。
【００１７】
上部パネル１２の下端部には、スイッチ用突起部材２２が固定されている。下部パネル１３には、下部パネル１３が伸長位置にあるときにのみスイッチ用突起部材２２に当接される検出センサである接触式スイッチ（マイクロスイッチ）２３が取り付けられている。接触式スイッチ２３は、スイッチ本体２４と、スイッチ本体２４に設けられ、スイッチ用突起部材２２の当接により操作される操作レバー２５とを有している。スイッチ本体２４は、エレベータの制御盤（図示せず）内に搭載された制御部２６に電気的に接続されている。また、スイッチ本体２４は、操作レバー２５が操作されることにより伸長位置検出信号を制御部２６へ出力するようになっている。
【００１８】
各階の乗場出入口７（図２）には、かご３の着床を検出する着床階検出センサ（図示せず）が設置されている。各着床階検出センサは、制御部２６に電気的に接続されている。かご３が乗場階に着床されたときには、かご３が着床された着床階に設置された着床階検出センサから制御部２６に着床階検出信号が出力されるようになっている。
【００１９】
制御部２６は、伸長位置検出信号及び着床階検出信号のそれぞれの入力に応じてエレベータの運転を制御するようになっている。具体的には、伸長位置検出信号の制御部２６への入力と、最下階に設置された着床階検出センサからの着床階検出信号の制御部２６への入力とが、ともに停止されたときに、制御部２６はエレベータの運転を停止するようになっている。即ち、かご３が最下階の着床位置以外の位置にあるときにエプロン装置１１が縮小されている場合には、エレベータの運転は制御部２６により停止されるようになっている。
【００２０】
次に、動作について説明する。
かご３が最下階の着床位置以外の位置にあるときには、下部パネル１３は、上部パネル１２により吊り下げられた状態となっており、自重により伸長位置に変位されている。即ち、エプロン装置１１は、伸長された状態となっている。この状態では、操作レバー２５が操作され、接触式スイッチ２５から制御部２６へ伸長位置検出信号が出力されている。従って、エレベータは制御部２６により通常運転される。
【００２１】
かご３が最下階に着床される際には、かご３の下方への移動により、緩衝部材２１がピット部１ａに当接され、下部パネル１３がピット部１ａにより上部パネル１２に対してスライドされながら縮小位置まで押し上げられる。このとき、操作レバー２５はスイッチ用突起部２２から開離される。これにより、スイッチ本体２４からの伸長位置検出信号の出力が停止される。これと同時に、最下階に設置された着床階検出センサから着床階検出信号が制御部２６へ出力される。この着床階検出信号が制御部２６に入力されることにより、下部パネル１３が縮小位置に変位されても、エレベータの運転が停止されることはない。
【００２２】
例えばかご３が最下階の着床位置以外の位置にあり、かつ下部パネル１３が上部パネル１２の一部に引っ掛かって伸長位置まで変位されていない場合、制御部２６には、最下階に設置された着床階検出センサからの着床階検出信号、及び伸長位置検出信号のいずれも入力されない。従って、エレベータの運転は、制御部２６により停止される。
【００２３】
このようなエレベータのエプロン装置１１では、上部パネル１２がパネル本体部１４と、かご３の奥行き方向へ延びるパネル端面部１５とを有しているので、乗場６側からの力に対して上部パネル１２の変形を小さくすることができ、エプロン装置１１全体の変形を小さくすることができる。このことから、かご３の着床位置に大きな誤差が生じた場合であっても、上部パネル１２及び下部パネル１３の変形によりかご床と乗場床との間に著しく大きな隙間が生じることを防止することができる。
【００２４】
また、パネル端面部１５に上下方向へ延びる長穴１６が設けられ、下部パネル１３に固定されたガイドボルト１９が摺動可能に長穴１６に挿入されているので、簡単な構成で下部パネル１３を上部パネル１２に対して上下方向へスライドさせることができる。また、ガイドボルト１９が乗場６側に突出していないので、上部パネル１２及び下部パネル１３を乗場６側へ近づけてかご出入口４の床部１０に取り付けることができる。
【００２５】
また、長穴１６の内面には、低摩擦部材２０が設けられているので、長穴１６内でガイドボルト１９を円滑に摺動させることができる。
【００２６】
また、ガイドボルト１９は、上下方向に間隔を置いて複数（２つ）配置されているので、乗場６側からの力に対して上部パネル１２と下部パネル１３との連結部分の変形を小さくすることができ、エプロン装置１１全体の変形を小さくすることができる。
【００２７】
また、下部パネル１３の下端部には、緩衝部材２１が設けられているので、下部パネル１３のピット部１ａへの直接の衝突を防止することができ、エプロン装置１１への衝撃を小さくすることができる。また、エプロン装置１１のピット部１ａへの衝突による衝突音の大きさも小さくすることができる。
【００２８】
また、下部パネル１３には、下部パネル１３が伸長位置にあることを検出する接触式スイッチ２３が設けられているので、エプロン装置１１が伸長された状態であることを検出することができ、接触式スイッチ２３からの情報に応じてエレベータの運転を制御することができる。これにより、エプロン装置１１が伸長された状態での運転をより確実に行うことができ、かご３の着床位置に誤差が生じた場合であっても、かご床と乗場床との間の空間をより確実に塞ぐことができる。
【００２９】
なお、上記の例では、２つのガイドボルト１９が上下方向へ配置されているが、３つ以上のガイドボルト１９を上下方向へ配置してもよい。
また、上記の例では、上部パネル１２及び下部パネル１３の２枚のエプロンパネルが用いられているが、３枚以上のエプロンパネルを用いてエプロン装置を上下方向へ伸縮させるようにしてもよい。
さらに、上記の例では、下部パネル１３の伸長位置を検出するために接触式スイッチ２３が検出センサとして用いられているが、例えば近接スイッチ等の非接触式のスイッチを検出センサとして用いてもよい。
【００３０】
実施の形態２．
図５はこの発明の実施の形態２によるエレベータのエプロン装置４５を示す正面図、図６は図５のエプロン装置４５を示す側面図である。図において、かご出入口４の床部１０の下面には、実施の形態１と同様の上部パネル１２がボルトにより固定されている。上部パネル１２には、下部パネル３１がスライド可能に連結されている。下部パネル３１は、実施の形態１の下部パネル１３と同様の構成、即ち正面部１７と、正面部１７からかご３の奥行き方向へ延びる一対の端部延出部１８とを有しているが、実施の形態１と異なり、正面部１７の幅がパネル本体部１４の幅よりも小さくなっている。また、一対の端部延出部１８は、各パネル端面部１５の間に配置されている。
【００３１】
各端部延出部１８には、長穴１６に挿入された１つのガイドボルト１９が取り付けられている。ガイドボルト１９は、長穴１６内を上下方向へ摺動可能になっている。下部パネル３１は、ガイドボルト１９の長穴１６内での摺動により、上部パネル１２に対して上下方向へスライド可能になっている。
【００３２】
下部パネル３１は、実施の形態１の下部パネル１３と同様に、上部パネル１２の下端部側に位置する伸長位置と、伸長位置よりも上方に位置する縮小位置との間を往復動可能になっている。下部パネル３１の下端部には、緩衝部材２１が設けられている。なお、エプロン本体３２は、上部パネル１２及び下部パネル３１を有している。
【００３３】
エプロン本体３２の反乗場６側（背面側）には、エプロン本体３２を補強するための補強体３３が配置されている。補強体３３は、かご３の下部から下方へ延びている。また、補強体３３は、エプロン本体３２に対して間隔を置いて配置されている。
【００３４】
補強体３３は、かご３の下部にボルトにより固定されたパネル状の第１の補強部材である上部補強部材３４と、上部補強部材３４に対してスライド可能なパネル状の第２の補強部材である下部補強部材３５とを有している。
【００３５】
上部補強部材３４は、水平断面がコ字状となるように金属板を折り曲げて作製される。また、上部補強部材３４は、かご３の下部から下方へ延びる板状の補強本体部３６と、補強本体部３６の幅方向端部にそれぞれ設けられ、補強本体部３６からエプロン本体３２側に向かってかご３の奥行き方向へ延びる一対の補強端面部３７とを有している。補強本体部３６は、かご出入口４の幅方向に沿って配置されている。各補強端面部３７は、補強本体部３６の高さ方向全体に渡って設けられている。また、各補強端面部３７には、上下方向へ延びる長穴３８が設けられている。
【００３６】
下部補強部材３５は、補強本体部３６に一部が重ねられた板状の正面部３９と、正面部３９の幅方向端部に設けられ、正面部３９からエプロン本体３２側に向かってかご３の奥行き方向へ延びる一対の端部延出部４０とを有している。正面部３９の幅は、補強本体部３６の幅よりも小さくなっている。また、一対の端部延出部４０は、各補強端面部３７の間に配置されている。各端部延出部４０には、長穴３８に挿入された１つのガイドボルト４１が取り付けられている。各ガイドボルト４１は、長穴３８内を摺動可能になっている。各ガイドボルト４１の長穴３８内での摺動により、下部補強部材３５は長穴３８に沿って案内される。
【００３７】
長穴３８の内面には、ガイドボルト４１の摺動を円滑にする低摩擦部材４２が設けられている。低摩擦部材４２は、長穴３８の長さ方向に沿って延びている。また、低摩擦部材４２は、テフロン(登録商標)により作製されている。下部補強部材３５の下端部には、ゴム等の弾性体である緩衝部材４３が設けられている。かご３が最下階に着床される際には、緩衝部材２１及び４３がピット部１ａに当接される。エプロン装置４５のピット部１ａへの衝突による衝撃は、緩衝部材２１及び４３により緩和される。
【００３８】
下部パネル３１及び下部補強部材３５は、一対の連結部材である連結バー４４により互いに連結されている。連結バー４４は、端部延出部１８に接続された第１接続部である一端部４４ａと、端部延出部４０に接続された第２接続部である他端部４４ｂとを有している。連結バー４４は、下部パネル３１及び下部補強部材３５とともに上下動可能になっている。即ち、下部パネル３１、下部補強部材３５及び連結バー４４は、上部パネル１２及び上部補強部材３４に対して一体に上下動可能になっている。
【００３９】
なお、エプロン装置４５は、エプロン本体３２、補強体３３及び連結バー４４を有している。また、他の構成は実施の形態１と同様である。
【００４０】
次に、動作について説明する。
かご３が最下階の着床位置以外の位置にあるときには、下部パネル３１は、上部パネル１２により吊り下げられた状態となっており、自重により伸長位置に変位されている。下部補強部材３５及び連結バー４４も、下部パネル３１の伸長位置に対応する位置に変位されている。即ち、エプロン本体３２及び補強体３３は、伸長された状態となっている。
【００４１】
かご３が最下階に着床される際には、かご３の下方への移動により、緩衝部材２１及び４３がピット部１ａに当接され、下部パネル３１がピット部１ａにより上部パネル１２に対してスライドされながら縮小位置まで押し上げられる。このとき、下部補強部材３５及び連結バー４４も、下部パネル３１とともに変位され、下部パネル３１の伸長位置に対応する位置まで押し上げられる。これにより、エプロン本体３２及び補強体３３は縮小された状態となり、エプロン装置４５のピット部１ａへの衝突による破損が防止される。
【００４２】
このようなエレベータのエプロン装置４５では、エプロン本体３２の背面側に補強体３３が設けられ、エプロン本体３２及び補強体３３が互いに連結バー４４により連結されているので、乗場６側からの力に対してエプロン本体３２の変形を小さくすることができる。このことから、エプロン本体３２の変形によりかご床と乗場床との間に著しく大きな空間が生じることを防止することができる。
【００４３】
また、下部パネル３１の下端部には緩衝部材２１が設けられ、下部補強部材３５の下端部には緩衝部材４３が設けられているので、かご３が最下階に着床される際に、エプロン装置４５がピット部１ａに衝突しても、エプロン本体３２及び補強体３３への衝撃を緩和することができる。また、エプロン装置４５のピット部１ａへの衝突による衝突音も小さくすることができる。
【００４４】
なお、上記の例では、補強体３３は上部補強部材３４及び下部補強部材３５の２つの補強部材により伸縮されるようになっているが、３つ以上の補強部材により補強体を伸縮させるようにしてもよい。また、エプロン本体３２も３つ以上のエプロンパネルにより伸縮させるようにしてもよい。
また、上記の例では、ガイドボルト４１は長穴３８により上下方向へ案内されるようになっているが、ガイドレールによりガイドボルト４１を案内するようにしてもよい。
さらに、前後一対のかご出入口がかご３に設けられている場合には、エプロン本体３２を一方のかご出入口の床部に設け、補強体３３を他方のかご出入口の床部に設けてもよい。このようにすると、補強体３３を他方のかご出入口のエプロン本体として利用することができる。
【００４５】
実施の形態３．
図７はこの発明の実施の形態３によるエレベータのエプロン装置５０を示す正面図、図８は図７のエレベータのエプロン装置５０を示す側面図である。図において、エプロン本体３２の背面側には、補強体５１が配置されている。補強体５１は、かご３の下部にボルトにより固定されている。また、補強体５１は、水平断面がコ字状となるように金属板を折り曲げて作製されている。さらに、補強体５１は、かご３の下部から下方へ延びる板状の補強本体部５２と、補強本体部５２の幅方向端部にそれぞれ設けられ、補強本体部５２からエプロン本体３２側に向かってかご３の奥行き方向へ延びる一対の補強端面部５３とを有している。補強端面部５３には、上下方向へ延びる長穴５４が設けられている。補強体５２の上下方向の長さは、伸長された状態のエプロン本体３２の上下方向の長さよりも短くなっている。
【００４６】
下部パネル３１及び補強体５１は、一対の連結部材である連結バー５５により互いに連結されている。各連結バー５５は、水平面に対して傾斜されている。また、各連結バー５５は、端部延出部１８に接続された第１接続部である一端部５５ａと、補強端面部５３に接続され、かつ補強体５１に対してスライド可能な第２接続部である他端部５５ｂとを有している。
【００４７】
一端部５５ａは、端部延出部１８にボルト５８により固定されている。他端部５５ｂには、長穴５４に挿入されたガイドボルト５６が取り付けられている。ガイドボルト５６は、長穴５４内を摺動可能になっている。他端部５５ｂは、ガイドボルト５６の長穴５４内での摺動により長穴５４の長さ方向に沿ってスライド可能になっている。即ち、下部パネル３１及び連結バー５５は、上部パネル１２及び補強体５１に対して一体に上下動可能になっている。
【００４８】
長穴５４の内面には、ガイドボルト５６の摺動を円滑にする低摩擦部材２０が設けられている。低摩擦部材２０は、長穴５４の長さ方向へ延びている。
なお、エプロン装置５０は、エプロン本体３２、補強体５１及び連結バー５５を有している。また、他の構成は実施の形態２と同様である。
【００４９】
このようなエレベータのエプロン装置５０では、エプロン本体３２の背面側に補強体５１が設けられ、かつ、連結バー５５の一端部５５ａが下部パネル３１に接続され、他端部５５ｂが補強体５１に対して上下動可能に接続されているので、乗場６からの力に対してエプロン本体３２の変形を小さくすることができる。また、補強体５１を伸縮可能な構造としなくてよいので、部品点数を少なくすることができ、製造コストを低減することができる。
【００５０】
なお、上記の例では、ガイドボルト５６は長穴５４により案内されるようになっているが、ガイドレールによりガイドボルト５６を案内するようにしてもよい。
【００５１】
また、各上記実施の形態では、長穴１６が案内手段として用いられているが、上下方向へ延びるガイドレールを案内手段として用いてもよい。このようにしても、下部パネル１３を上部パネル１２に対して容易にスライドさせることができる。
【００５２】
また、各上記実施の形態では、長穴１６が上部パネル１２に設けられ、ガイドボルト１９が下部パネル１３に取り付けられているが、上部パネル１２にガイドボルト１９を取り付け、下部パネル１３に長穴１６を設けてもよい。
【図面の簡単な説明】
【００５３】
【図１】この発明の実施の形態１によるエレベータを示す平断面図である。
【図２】図１のII-II線に沿った断面図である。
【図３】図２のエプロン装置を示す正面図である。
【図４】図３のエプロン装置を示す側面図である。
【図５】この発明の実施の形態２によるエレベータのエプロン装置を示す正面図である。
【図６】図５のエプロン装置を示す側面図である。
【図７】この発明の実施の形態３によるエレベータのエプロン装置を示す正面図である。
【図８】図７のエプロン装置を示す側面図である。
【符号の説明】
【００５４】
３  かご、４  かご出入口、１２  上部パネル（第１のエプロンパネル）、１３，３１  下部パネル（第２のエプロンパネル）、１４  パネル本体部、１５  パネル端面部、１６  長穴（案内手段）、１９  ガイドボルト（摺動部）、２０  低摩擦部材、２１  緩衝部材、２３  接触式スイッチ（検出センサ）、３２  エプロン本体、３３，５１  補強体、３４  上部補強部材（第１の補強部材）、３５  下部補強部材（第２の補強部材）、４４，５５  連結バー（連結部材）、４４ａ，５５ａ  一端部（第１接続部）、４４ｂ，５５ｂ  他端部（第２接続部）。
【図１】
2005145610.tif 000003
【図２】
2005145610.tif 000004
【図３】
2005145610.tif 000005
【図４】
2005145610.tif 000006
【図５】
2005145610.tif 000007
【図６】
2005145610.tif 000008
【図７】
2005145610.tif 000009
【図８】
2005145610.tif 000010